(57)【要約】【課題】光を取り出すための取出要素を目立たなくさせ、著しく意匠性を高めることができる導光板を提供する。【解決手段】導光板３０は、一対の主面４１ａ，４１ｂを有した取出導光層４０を含む。取出導光層４０は、一対の主面４６ａ，４６ｂを有するベース部４５と、ベース部内に設けられた複数の光拡散部５０と、を含む。光拡散部５０は、導光された光の進行方向、及び、波長特性を変化させる散乱成分５０ｂ及び５０ｃを含み、取出導光層４０の板面への法線方向から導光板３０を観察した際に光拡散部５０が目立つことを防止しながら、発光時の意匠性を高めて、取出要素として有効に機能させる。【選択図】図１
2017183116.tif 000002
【特許請求の範囲】
【請求項１】
互いに対向する第１主面及び第２主面と、前記第１主面及び前記第２主面の間の側面のうちの第１方向における一側に位置する部分からなる入光側面と、を有するベース部と、
前記ベース部内に設けられた複数の光拡散部と、を有する取出導光層を、備え、
前記第１主面は、第１領域と第２領域を含み、
所定の光源照明によって、前記第１領域が視認可能となる、導光板。
【請求項２】
請求項１に記載の導光板において、
前記光拡散部は、前記ベース部内の前記第１領域に対応する領域内にのみ設けられている、
導光板。
【請求項３】
請求項２に記載の導光板において、
前記光拡散部は、少なくとも蓄光材料を含み、当該蓄光材料が、蓄光特性を呈することにより、前記入光側面から入光し導光された光の進行方向及び波長特性を変化させる、導光板。
【請求項４】
請求項１に記載の導光板において、
前記ベース部内の前記第１領域に対応する領域内の光拡散部のみが、前記入光側面から入光し導光された光の特定の波長成分を他の波長成分より多く散乱することにより、前記入光側面から入光し導光された光の進行方向及び波長特性を変化させる、導光板。
【請求項５】
請求項１に記載の導光板において、
前記取出導光層の法線方向に沿った、前記ベース部内の前記第１領域に対応する領域内の光拡散部の高さが、前記取出導光層の法線方向に沿った、前記ベース部内の前記第２領域に対応する領域内の光拡散部の高さよりも高い、導光板。
【請求項６】
請求項１〜５のいずれか一項に記載の導光板の、前記第１領域に対応する領域内の光拡散部において、
前記第１方向に隣り合ういずれか二つの光拡散部が、当該二つの光拡散部の当該第１方向に沿った離間間隔ｄと、前記取出導光層の法線方向に沿った当該二つの光拡散部の高さｈ１，ｈ２と、当該取出導光層の屈折率ｎと、前記第１主面及び前記第２主面のいずれか一方の側から当該取出導光層に隣接する層の屈折率ｎＬと、を用いた次の式を満たす、導光板。
ｔａｎ（Ａｒｃｓｉｎ（ｎＬ／ｎ））≦ｄ／（ｈ１＋ｈ２）
【請求項７】
請求項１〜６のいずれか一項に記載の導光板の、前記第１領域に対応する領域内の光拡散部において、
前記取出導光層の法線方向に沿った当該光拡散部の高さは、一定ではない、導光板。
【請求項８】
請求項１〜７のいずれか一項に記載の導光板の、前記第１領域に対応する領域内の光拡散部において、
少なくとも一つの光拡散部の前記取出導光層の法線方向に沿った高さは、当該一つの光拡散部よりも前記第１方向において一側に位置する少なくとも一つの他の光拡散部の当該取出導光層の法線方向に沿った高さよりも高い、導光板。
【請求項９】
請求項１〜８のいずれか一項に記載の導光板の、前記第１領域に対応する領域内の光拡散部において、
任意の一つの光拡散部の前記取出導光層の法線方向に沿った高さは、当該一つの光拡散部よりも前記第１方向において一側に位置する他の光拡散部の当該取出導光層の法線方向に沿った高さ以上である、導光板。
【請求項１０】
請求項１〜９のいずれか一項に記載の導光板において、
前記取出導光層に隣接して配置された低屈折率層を、さらに備え、
当該低屈折率層の屈折率は、当該取出導光層の前記ベース部の屈折率よりも低い、導光板。
【請求項１１】
請求項１０に記載の導光板において、
前記低屈折率層の前記取出導光層とは反対の側に配置されたカバー層を、さらに備え、  当該低屈折率層は、当該取出導光層と当該カバー層とを接合するための層である、導光板。
【請求項１２】
請求項１１に記載の導光板において、
前記カバー層は、前記取出導光層の前記ベース部よりも高い耐擦傷性を有している、導光板。
【請求項１３】
請求項１〜１２のいずれか一項に記載の導光板の、前記第１領域に対応する領域内の光拡散部において、
前記ベース部は、前記第１主面及び前記第２主面のいずれか一方の面に、前記第１方向に間隔をあけて複数の溝を形成され、  当該光拡散部は、当該溝内に設けられている、導光板。
【請求項１４】
請求項１〜１３のいずれか一項に記載の導光板の、前記第１領域に対応する領域内の光拡散部において、各光拡散部は、前記第１方向と非平行な方向に線状に延びている、導光板。
【請求項１５】
請求項１〜１４のいずれか一項に記載の導光板において、
前記視認可能となる前記第１領域は、少なくとも、文字情報、図形情報、記号情報、または、それらの組み合わせからなる情報を視認可能とする、導光板。
【請求項１６】
請求項１〜１４のいずれか一項に記載の導光板と、
前記導光板の前記入光側面に対面して配置された光源と、を備え、
当該光源が、前記所定の光源照明によって、前記第１領域を視認可能とする、
照明装置。
【請求項１７】
請求項１５に記載の照明装置において、
前記視認可能となる前記第１領域は、少なくとも、文字情報、図形情報、記号情報、または、それらの組み合わせからなる情報を視認可能とする、照明装置。
【発明の詳細な説明】
【技術分野】
【０００１】
本発明は、導光板および導光板を含んだ照明装置に係り、光を取り出すための取出要素を目立たなくさせるとともに、とりわけ意匠性に優れる、導光板および照明装置に関する。
【背景技術】
【０００２】
例えば特許文献１に開示されているように、導光板と、導光板の側面に対面するように配置された光源と、を用いた照明装置が知られている。この照明装置では、光源で発光された光は導光板の一対の主面で反射を繰り返して当該導光板内を進む。導光板の裏側の主面の全領域には、拡散性物質が設けられている。導光板内を進む光は、拡散性物質で進行方向を変化させられることにより、導光板の主面に全反射臨界角度未満の角度で入射し、この結果、当該主面を介して導光板から出射するようになる。すなわち、拡散性物質は導光板から光を取り出すための取出要素として機能する。そして、拡散性物質のパターンは、導光方向に沿った所望の出射光量分布を実現し得るように決定される。典型的な例として、導光方向に沿った各領域からの出射光量を均一化する場合には、光源から離間した領域において出射光量が低下しやすくなるといった傾向を鑑み、光源から離間するにつれて面積が増大するよう、配慮されている。
【０００３】
しかしながら、このような導光板及び照明装置では、各領域からの出射光量を制御するための拡散性物質が視認されてしまうという不具合が生じている。とりわけ、拡散反射性物質が離散的に設けられている場合には、照明光源を点灯しなくとも、当該拡散性物質が見えており、著しい意匠性の低下を招くこととなる。この点を鑑み、本出願人は、特許文献２に開示されているように、低屈折率層を設けて一部を隠ぺいしたり、または、特許文献３に開示されているように、拡散物質をアスペクト比の大きい領域に留めて、視認される拡散性物質のパターンを目立たなくした。
【先行技術文献】
【特許文献】
【０００４】
【特許文献１】特開平１０−１６０９３８号公報
【特許文献２】特開２０１５−００２１１５号公報
【特許文献３】特開２０１５−２６６００号公報
【発明の概要】
【発明が解決しようとする課題】
【０００５】
特許文献２に開示されている導光板及び照明装置は、低屈折率層による「遮蔽効果」を用いて、拡散性物質のパターンを目立たなくするものであり、「照明装置」の照明機能の一部を犠牲にするのみならず、意匠性の低下を招くものである。また、特許文献３に開示されている導光板及び照明装置は、光取り出し要素の照明領域に占める割合を抑制するものであって、その結果、「照明装置」の照明機能を損なうことを余儀なくされ、意匠性の低下や高級感の喪失等の外観上の問題から、従来の照明装置の使用範囲が制限されてきた。
【０００６】
本発明は、以上の点を考慮してなされたものであり、光を取り出すための取出要素を目立たなくさせるとともに、著しく意匠性を向上させることができる導光板、及び、この導光板を含む照明装置を提供することを目的とする。
【課題を解決するための手段】
【０００７】
本発明による第１の導光板は、
互いに対向する第１主面及び第２主面と、前記第１主面及び前記第２主面の間の側面のうちの第１方向における一側に位置する部分からなる入光側面と、を有するベース部と、
前記ベース部内に設けられた複数の光拡散部と、を有する取出導光層を、備え、
前記第１主面は、第１領域と第２領域を含み、
所定の光源照明によって、前記第１領域が視認可能となる。
【０００８】
本発明による第１の導光板において、
前記光拡散部は、前記ベース部内の前記第１領域に対応する領域内にのみ設けられているものとしてもよい。
本発明による第１の導光板において、
前記拡散部は、少なくとも蓄光材料を含み、当該蓄光材料が、蓄光特性を呈することにより、前記入光側面から入光し導光された光の進行方向及び波長特性を変化させるものとしてもよい。
【０００９】
本発明による第１の導光板において、
前記ベース部内の前記第１領域に対応する領域内の光拡散部のみが、前記入光側面から入光し導光された光の特定の波長成分を他の波長成分より多く散乱することにより、前記入光側面から入光し導光された光の進行方向及び波長特性を変化させるものとしてもよい。
【００１０】
本発明による第１の導光板において、
前記取出光導層の法線方向に沿った、前記ベース部内の前記第１領域に対応する領域内の光拡散部の高さが、
前記取出光導層の法線方向に沿った、前記ベース部内の前記第２領域に対応する領域内の光拡散部の高さよりも高いものとしてもよい。
【００１１】
本発明による第１の導光板の、前記第１領域に対応する領域内の光拡散部において、
前記第１方向に隣り合ういずれか二つの光拡散部が、当該二つの光拡散部の前記第１方向に沿った離間間隔ｄと、前記取出導光層の法線方向に沿った当該二つの光拡散部の高さｈ１，ｈ２と、前記取出導光層の屈折率ｎと、前記一方の主面の側から前記取出導光層に隣接する層の屈折率ｎＬと、を用いた次の式を満たすようにしてもよい。
【００１２】
ｔａｎ（Ａｒｃｓｉｎ（ｎＬ／ｎ））≦ｄ／（ｈ１＋ｈ２）
本発明による第１の導光板の、前記第１領域に対応する領域内の光拡散部において、
前記取出導光層の法線方向に沿った前記光拡散部の高さは、一定ではないようにしてもよい。
【００１３】
本発明による第１の導光板の、前記第１領域に対応する領域内の光拡散部において、
少なくとも一つの光拡散部の前記取出導光層の法線方向に沿った高さは、当該一つの光拡散部よりも前記第１方向において一側に位置する少なくとも一つの他の光拡散部の前記取出導光層の法線方向に沿った高さよりも高くなってもよい。
【００１４】
本発明による第１の導光板の、前記第１領域に対応する領域内の光拡散部において、
任意の一つの光拡散部の前記取出導光層の法線方向に沿った高さは、当該一つの光拡散部よりも前記第１方向において一側に位置する他の光拡散部の前記取出導光層の法線方向に沿った高さ以上となるようにしてもよい。
【００１５】
本発明による第１の導光板が、前記取出導光層に隣接して配置された低屈折率層を、さらに備え、当該低屈折率層の屈折率は、当該取出導光層の前記ベース部の屈折率よりも低くなっていてもよい。
【００１６】
本発明による第１の導光板が、前記低屈折率層の前記取出導光層とは反対の側に配置されたカバー層を、さらに備え、当該低屈折率層は、当該取出導光層と当該カバー層とを接合するための層であってもよい。
【００１７】
本発明による第１の導光板が、前記低屈折率層の前記取出導光層とは反対の側に配置されたカバー層を、さらに備え、当該カバー層は、当該取出導光層の前記ベース部よりも高い耐擦傷性を有していてもよい。
【００１８】
本発明による第１の導光板の、前記第１領域に対応する領域内の光拡散部において、
前記取出導光層に含まれる前記複数の光拡散部の間で、前記第１方向に沿った光拡散部の幅は一定となっていてもよい。
【００１９】
本発明による第１の導光板の、前記第１領域に対応する領域内の光拡散部において、
前記取出導光層に含まれる前記複数の光拡散部の間で、前記第１方向に沿った光拡散部の配置ピッチは一定となっていてもよい。
【００２０】
本発明による第１の導光板の、前記第１領域に対応する領域内の光拡散部において、
前記光拡散部のアスペクト比が０．１以上であってもよい。
【００２１】
本発明による第１の導光板の、前記第１領域に対応する領域内の光拡散部において、
前記ベース部は、前記一対の主面のうちの一方の主面に前記第１方向に間隔をあけて複数の溝を形成され、前記光拡散部は、前記溝内に設けられていてもよい。
【００２２】
本発明による第１の導光板の、前記第１領域に対応する領域内の前記光拡散部は、主部と、主部中に分散された拡散成分と、を有するようにしてもよい。前記拡散成分は、無機顔料、例えば白色粒子である、酸化チタンや、不溶性レーキ顔料などの有機顔料、及び、蛍光顔料、さらには、天然染料、合成染料や蛍光染料のいずれか、もしくは、それらの組み合わせであってもよいし、無機顔料、有機顔料、及び、蛍光顔料、さらには、天然染料、合成染料や蛍光染料のいずれかが添加された、もしくは、それらを組み合わせて添加された、合成樹脂粒子、例えば、アクリル樹脂粒子であるようにしてもよい。
【００２３】
前記アクリル樹脂粒子は、前記第１領域に対応する領域内の前記光拡散部内に２０％以上３０％以下の重量％で含有されていてもよい。前記白色粒子の平均粒径（平均直径）は、１μｍ以上３０μｍ以下であるようにしてもよい。前記導光板の法線方向に直交する断面における前記第１領域に対応する領域内の前記光拡散部の断面積は、前記白色粒子の平均粒径の二乗よりも大きくなっていてもよい。前記第１領域に対応する領域内の前記光拡散部の前記第１方向に沿った幅は、平均粒径（平均直径）以上であるようにしてもよい。
【００２４】
前記拡散成分は、主部中に分散させた、無機顔料、有機顔料や蛍光顔料の微粒子や、主部中に相溶させた天然染料、合成染料や蛍光染料であるようにしてもよい。前記微粒子の平均粒径（平均直径）は、０．０５μｍ以上１μｍ未満であるようにしてもよい。このことにより、当該微粒子の存在を目立たなくすることを可能とする。特に、粒径が可視光波長以下となる微粒子をその拡散成分として用いると、その微粒子が、透明な合成樹脂微粒子、例えば透明なアクリル樹脂微粒子であっても、そのような微小な粒子特有の散乱特性による青色発色現象が現れ、青色を多く散乱して、入光側面から入光し導光された光の進行方向を変化させるとともに、入光側面から入光し導光された光の青色の波長成分を、青色以外の波長成分より多く散乱して、入光側面から入光し導光された光の波長特性を変化させる、光拡散部とすることを可能とする。その青色発色現象は、レーリー散乱現象であって、その散乱の多さは、波長の４剰に反比例して多くなる。
【００２５】
さらに、微粒子の平均粒径（平均直径）を、２ｎｍ以上１０ｎｍ以下とすると、量子ドットとなり、例えば極めて小さなナノ結晶である合金型量子ドットや、樹脂で包み込んだ量子ドットがあるが、量子ドットは、光の幅広い波長域での吸収を生じ、且つ、散乱光として放出する光の波長がその粒径に依存し、さらに、放出する光の波長域が非常に狭く、とりわけ鮮明な色を呈するという特異な性質を示すため、量子ドットを拡散成分として用いると、入光側面から入光し導光された光の進行方向を変化させるとともに、入光側面から入光し導光された光の所望の波長成分を、選択的、且つ、効率よく、当該波長成分以外の波長成分より多く散乱して、入光側面から入光し導光された光の波長特性を変化させる、光拡散部とすることを可能とする。
【００２６】
また、前記第１領域に対応する領域内の前記光拡散部は、入光側面から入光し導光された光の、第一の波長成分を、当該第一の波長成分以外の他の波長成分より多く散乱する第一の光拡散部と、入光側面から入光し導光された光の、第二の波長成分を、当該第二の波長成分以外の他の波長成分より多く散乱する第二の光拡散部を有することとしてもよいが、一例として、前記拡散成分は、２色を呈して、例えば、Ｒ（赤色）とＧ（緑色）、Ｇ（緑色）とＢ(青色)や、Ｂ(青色)とＲ（赤色）の、いずれか２色を呈して、２色表示できるものとしてもよい。これは、「マルチカラー表示」と呼ばれる表示形態であるが、さらに、他の２色の組み合わせとしてもよい。
【００２７】
この２色表示は、導光板を２分するように２つの領域に分割配置して図形として表示してもよいし、より細かい領域に分けて、各々複数領域に分割配置表示して、視認可能となるようにしてもよい。また、さらに細かい領域、例えば、１００μｍ平方領域に分割して、隣り合う領域の一方の領域を一つの色に表示し、他方の領域を他の色に表示するものとしてもよい。この場合には、その二つの色が混色することとなり、新たな色を視認可能とできるものとしてもよい。
【００２８】
さらに、前記第１領域に対応する領域内の前記光拡散部は、入光側面から入光し導光された光の、三以上の特定の各々の波長成分を、当該特定の各々の波長成分以外の他の波長成分より多く散乱する、各々の光拡散部を有するものとしてもよいが、一例として、前記拡散成分は、３色を呈して、例えば、Ｒ（赤色）、Ｇ（緑色）と、Ｂ(青色)の３色を呈して、３色表示できるものとしてもよい。さらに、他の３色の組み合わせとしてもよいし、さらに、４色以上を呈して、４色以上の表示を視認可能とできるものとしてもよい。
【００２９】
この３色表示は、導光板を３分するように３つの領域に分割配置して図形として表示してもよいし、より細かい領域に分けて、各々複数領域に分割配置表示して、視認可能となるようにしてもよい。また、さらに細かい領域、例えば、１００μｍ平方領域に分割して、連続して隣り合う３領域を各々の色に対応するものとしてもよい。こ場合、その３色が混色して、新たな色を視認することを可能とする。すなわち、「フルカラー表示」を視認可能となるようにしてもよい。
【００３０】
上記したように、拡散成分は、導光された光の「波長特性」、とりわけ、「分光分布特性」を変化させることができる。「波長特性」とは、その「光」が持つ「光の性質」の中の「保有する波長成分」のことであり、「分光分布特性」とは、その「波長成分をスペクトル分解したときの、個々のスペクトル成分における強度分布、すなわち、「波長―強度分布曲線で表される特性」を意味する。例えば、「可視光全域に一定の強度を持つ波長特性を有する光」は、拡散成分中の「有機顔料」によって、「一部の波長領域の吸収」を受け、変化して、「異なる波長特性」を有する散乱光となって、言い換えれば、「異なる分光分布特性」を有する散乱光となって、放出される。すなわち、前記第１領域に対応する領域内の前記光拡散部が、前記入光側面から入光し導光された光の特定の波長成分を他の波長成分より多く散乱することにより、前記入光側面から入光し導光された光の進行方向及び波長特性の前記変化を生じる、こととしてもよい。
【００３１】
本発明による第１の導光板において、主部と、主部中に分散された拡散成分と、を有する、前記第１領域に対応する領域内の前記光拡散部は、拡散成分として、蓄光材料、すなわち、硫化亜鉛系蓄光顔料や、アルミン酸系蓄光顔料、例えば、ＥｕドープＳｒＡｌ2Ｏ3などの蓄光顔料そのもの、もしくは、これらの蓄光顔料が添加された合成樹脂、例えば蓄光顔料が添加されたアクリル樹脂粒子であるようにしてもよい。また、上記した有機顔料等と混合してもよい。蓄光材料は「蓄光特性」を呈するが、「蓄光特性」も同様に、例えば「蓄光顔料」によって、導光された光の「波長特性」の内、「一部の波長領域の光成分」を吸収し、その光の進行方向及び波長特性を変化させて、「異なる波長特性」、すなわち、「異なる分光分布特性」を有する光として、異なる進行方向へ向け、放出することを可能とする。
【００３２】
さらには、「蓄光材料」は、「導光された光」が無くなっても、すなわち、照明装置電源をＯＦＦとして、光源の発光を止めても、所定の時間は、その「異なる分光分布特性」を有する光を放出し続けるという蓄光特性を有するため、消灯時や停電時の照明装置、すなわち、第１領域を視認可能とする表示装置、として機能することができ、従来の照明装置には無い特性を発現できることから、高い意匠性のみならず、高度な利便性を提供することを可能とする。その光を放出し続ける所定の時間は、導光された光の強さに依存するが、数秒から数時間、もしくは、それ以上の時間としてもよい。
【００３３】
本発明による第１の導光板の、前記第１領域に対応する領域内の各光拡散部は、前記第１方向と非平行な方向に線状に延びていてもよい。
【００３４】
本発明による第１の照明装置は、上述した本発明による第１の導光板のいずれかと、前記導光板の前記入光側面に対面して配置された光源と、を備え、当該光源が、前記所定の光源照明によって、前記第１領域を視認可能とする。光源の発光波長は、「可視光域全域」であってもよいし、一つの「単色」、または、「複数の単色の組み合わせ」であってもよい。さらには、可視光以外の発光波長を含むものであってもよい。本発明による第１の導光板の、前記視認可能となる前記第１領域は、少なくとも、文字情報、図形情報、記号情報、または、それらの組み合わせからなる情報を視認可能とするものであってもよい。ここで、所定の光源照明とは、上記した発光波長を有し、本発明による第１の導光板のいずれかと、前記導光板の前記入光側面に対面して配置された、所定の光源によって、前記第１の導光板が照明されている状態をいう。すなわち、所定の発光波長を有し、所定の配置に設けられた、所定の光源が、発光して、所定の導光板の所定の入光側面を照明している状態である。
【００３５】
ここで、文字情報とは、言語に直接結び付いて意味を表す符号や記号であり、「言語に直接結び付いて」とは、文字が発音そのものを表すということでは必ずしもなく、具体的な事物を表す記号からなる文字の体系（象形文字）や、文字が表す語の意味は一定だが文字の発音は言語によって異なりうる体系（漢字など）も含まれる。図形情報とは、様々な形を表現したものであって、立体、面、線や点などの集合である。また、空間における物体の形状や位置関係を抽象化したものも含まれる。記号情報とは、一定の事柄を指し表すために使う、文字やしるしであって、特に文字に対して符号類を指すことも含まれる。さらに、商業デザインや、法律で定められたもの、具体的な製品の名称や、種々の組織の名称やロゴ、印章、その他、識別性等の表示を目的とする文字、図形や記号が含まれる。そして、「視認可能となる」とした、その視認性とは、「視覚的な文字、図形や記号などを明確に認識することができるかを表すもの」であって、実際に目で見て確認した際の文字や図形などの見易さを示すものである。別の言い方をすれば、何らかの手段で形成された文字、図形や記号などの光学的特性の一つということができる。
【００３６】
本発明による第１の照明装置は、
前記視認可能となる前記第１領域が、少なくとも、文字情報、図形情報、記号情報、または、それらの組み合わせからなる情報を視認可能とするものであってもよい。
【００３７】
本発明による第２の導光板は、
互いに対向する第１主面及び第２主面と、前記第１主面及び前記第２主面の間の側面のうちの第１方向における一側に位置する部分からなる入光側面と、を有する主導光層と、
前記主導光層と積層された取出導光層と、を備え、
前記第１主面は、第１領域と第２領域とを含み、
前記取出導光層の、前記第１領域に対応する領域内において前記第１方向に配列された複数の取出要素であって、各々が前記主導光層からの光の進行方向、及び／または、波長特性を変化させ、所定の光源照明によって、前記第１領域が視認可能となる、複数の取出要素を有している。すなわち、上記主導光層、及び、第１の導光板が積層されている形態となる。
【００３８】
このような第２の導光板において、前記取出要素は、前記第１の導光板の前記光拡散部と同様とすることになるが、主部と、主部中に分散された拡散成分と、を有するようにしてもよい。前記拡散成分は、無機顔料、例えば白色粒子である、酸化チタンや、不溶性レーキ顔料などの有機顔料、及び、蛍光顔料、さらには、天然染料、合成染料や蛍光染料、及び、蓄光顔料のいずれかが添加された、もしくは、それらを組み合わせて添加された、アクリル樹脂粒子であるようにしてもよい。前記拡散成分は、主部中に分散させた、無機顔料、有機顔料や蛍光顔料の微粒子や、主部中に相溶させた天然染料、合成染料や蛍光染料、さらには、蓄光顔料であるようにしてもよい。前記拡散成分は、Ｒ（赤色）、Ｇ（緑色）、Ｂ(青色)を呈して、フルカラー表示をするものとしてもよい。
【００３９】
前記アクリル樹脂粒子は、前記取出要素内に２０％以上３０％以下の重量％で含有されていてもよい。前記白色粒子の平均粒径（平均直径）は、１μｍ以上３０μｍ以下であるようにしてもよい。前記微粒子の平均粒径（平均直径）は、０．０５μｍ以上１μｍ未満であるようにしてもよい。前記導光板の法線方向に直交する断面における前記取出要素の断面積は、前記白色粒子の平均粒径の二乗よりも大きくなっていてもよい。前記取出要素の前記第１方向に沿った幅は、平均粒径（平均直径）以上であるようにしてもよい。
【００４０】
本発明による第２の導光板において、前記取出導光層の法線方向に沿った前記取出要素の高さは、一定ではないようにしてもよい。
【００４１】
本発明による第２の導光板において、少なくとも一つの取出要素の前記取出導光層の法線方向に沿った高さは、当該一つの取出要素よりも前記第１方向において一側に位置する少なくとも一つの他の取出要素の前記取出導光層の法線方向に沿った高さよりも高くなっていてもよい。
【００４２】
本発明による第２の導光板において、任意の一つの取出要素の前記取出導光層の法線方向に沿った高さは、当該一つの取出要素よりも前記第１方向において一側に位置する他の取出要素の前記取出導光層の法線方向に沿った高さ以上となっていてもよい。
【００４３】
本発明による第２の導光板において、前記取出導光層は、前記一対の主面のうちの一方の主面に前記第１方向に間隔をあけて複数の溝を形成され、前記取出要素は、前記溝内に形成された光拡散部であってもよい。
【００４４】
本発明による第２の導光板において、前記一方の主面は、前記一対の主面のうちの前記主導光層の側を向く面であってもよいし、或いは、前記一対の主面のうちの前記主導光層とは反対の側を向く面であってもよい。
【００４５】
本発明による第２の導光板において、前記取出要素のアスペクト比が０．１以上であってもよい。
【００４６】
本発明による第２の導光板が、前記取出導光層の前記主導光層とは反対側に前記取出導光層と隣接するようにして設けられ且つ前記取出導光層の屈折率よりも低い屈折率を有する第２低屈折率層を、さらに備えるようにしてもよい。
【００４７】
本発明による第２の導光板が、前記第２低屈折率層の前記取出導光層とは反対の側に配置されたカバー層を、さらに備え、前記第２低屈折率層は、前記取出導光層と前記カバー層とを接合するための層であるようにしてもよい。
【００４８】
本発明による第２の導光板において、前記カバー層は、前記取出導光層よりも高い耐擦傷性を有していてもよい。
【００４９】
本発明による第２の導光板において、前記取出要素は、前記第２領域において、前記主導光層に隣接して配置され、前記取出要素と前記主導光層との屈折率差は、前記低屈折率層と前記主導光層との屈折率差よりも小さくなっていてもよい。
【００５０】
本発明による第２の導光板において、前記取出導光層に含まれる前記複数の取出要素の間で、前記第１方向に沿った幅は一定となっていてもよい。
【００５１】
本発明による第２の導光板において、前記取出導光層に含まれる前記複数の取出要素の間で、前記第１方向に沿ったピッチは一定となっていてもよい。
【００５２】
本発明による第２の導光板において、各取出要素は、前記第１方向と非平行な方向に線状に延びていてもよい。
【００５３】
本発明による第２の導光板が、前記主導光層の前記第２主面上に設けられ且つ前記主導光層の屈折率よりも低い屈折率を有する第３低屈折率層を、さらに備えるようにしてもよい。
【００５４】
本発明による第２の導光板が、前記第３低屈折率層の前記主導光層とは反対の側に配置されたカバー層を、さらに備え、前記第３低屈折率層は、前記取出導光層と前記カバー層とを接合するための層であるようにしてもよい。
【００５５】
本発明による第２の導光板において、前記カバー層は、前記主導光層よりも高い耐擦傷性を有していてもよい。
【００５６】
本発明による第２の照明装置は、上述した本発明による第２の導光板のいずれかと、  前記導光板の前記入光面に対面して配置された光源と、を備え、当該光源が、前記所定の光源照明によって、前記第１領域を視認可能とする。光源の発光波長は、「可視光域全域」であってもよいし、一つの「単色」、または、「複数の単色の組み合わせ」であってもよい。さらには、可視光以外の発光波長を含むものであってもよい。ここで、所定の光源照明とは、上記した発光波長を有し、本発明による第２の導光板のいずれかと、前記導光板の前記入光側面に対面して配置された、所定の光源によって、前記第２の導光板が照明されている状態が含まれていてもよい。すなわち、所定の発光波長を有し、所定の配置に設けられた、所定の光源が、発光して、所定の導光板の所定の入光側面を照明している状態である。
【００５７】
本発明による第２の導光板の、前記視認可能となる前記第１領域は、少なくとも、文字情報、図形情報、記号情報、または、それらの組み合わせからなる情報を視認可能とするものであってもよい。
【００５８】
本発明による第２の照明装置は、
前記視認可能となる前記第１領域が、少なくとも、文字情報、図形情報、記号情報、または、それらの組み合わせからなる情報を視認可能とするものであってもよい。
【発明の効果】
【００５９】
本発明によれば、導光板から光を取り出すための取出要素を目立たなくさせるとともに、所定の光源照明によって、所定の情報を視認可能とすることで、その意匠性を著しく向上させることができる。
【図面の簡単な説明】
【００６０】
【図１】図１は、本発明の一実施の形態を説明するための図であって、照明装置および導光板を示す縦断面図である。
【図２】図２は、照明装置および導光板を示す部分斜視図である。
【図３】図３は、照明装置および導光板を示す平面図である。
【図４】図４は、図１の導光板を示す部分拡大図である。
【図５】図５は、図１に対応する図であって、導光板および照明装置の一変形例を示す図である。
【図６】図６は、本発明の一実施の形態を説明するための図であって、照明装置および導光板を示す縦断面図である。
【図７】図７は、図６に対応する図であって、導光板の一変形例を示す図である。
【図８】図８は、図６に対応する図であって、導光板の他の変形例を示す図である。
【図９】図９は、図６と同様の視野において、導光板のさらに他の変形例を示す部分拡大図である。
【発明を実施するための形態】
【００６１】
以下、図面を参照して本発明の第１及び第２の実施の形態について説明する。図１〜図５は、本発明の第１の実施の形態及びその変形例を説明するための図である。一方、図６〜図９は、本発明の第２の実施の形態及びその変形例を説明するための図である。
【００６２】
なお、本件明細書に添付する図面においては、図示と理解のしやすさの便宜上、適宜縮尺および縦横の寸法比等を、実物のそれらから変更し誇張してある。
【００６３】
なお、本明細書において、「板」、「シート」、「フィルム」の用語は、呼称の違いのみに基づいて、互いから区別されるものではない。例えば、「板」はシートやフィルムと呼ばれ得るような部材も含む概念であり、したがって、「導光板」は、「導光シート」や「導光フィルム」と呼ばれる部材と呼称の違いのみにおいて区別され得ない。
【００６４】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。以下の第１の実施の形態においては、導光板の板面、導光板の取出導光層の板面、及び、取出導光層のベース部の板面は、互いに平行となっている。また、後述する第２の実施の形態においては、導光板の板面、導光板の主導光層の板面、導光板の取出導光層の板面、及び、取出導光層のベース部の板面は、互いに平行となっている。
【００６５】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００６６】
＜第１の実施の形態＞
まず、第１の実施の形態について説明する。
【００６７】
図１〜図４は、本発明の第１の実施の形態を説明するための図である。このうち、図１〜図３は、それぞれ、照明装置１０を示す縦断面図、部分斜視図および部分平面図である。図４は、図１の部分拡大図である。また、図１及び図４に示された断面は、図３のＡＡ線に沿った断面を示している。
【００６８】
照明装置１０は、面状に光を発光する装置であり、例えば室内または屋外の照明、広告用照明、表示装置用のバックライト等、種々の用途に使用され得る。但し、本発明の第１導光板、または、第２の導光板、及びそれらの導光板を用いた照明装置（以下、「本導光板及び照明装置」と略す。）は、この実施の形態に限られるものでなく、例えば、照明装置１０の一方の面を覆う筐体１１を透明なものとするか、除去し、「両面発光装置」としての用途に使用され得る。この場合には、非発光時は、「透明な窓」として、発光時は、「光る仕切り」、もしくは面照明、もしくは情報表示として視認される。従って、本導光板及び照明装置の用途は、様々であり、その一部を、以下に列挙する。
【００６９】
・天窓：天井へ嵌め込み、昼間は、「透明な窓（非発光）」として、夜間は、「照明器具」として、機能させてもよい。また、光源２０のＯＮ・ＯＦＦを、コードレス・リモートコントロールとしてもよい。さらには、「人感センサー」を設置して、通常は「透明パネル」であって、人が近付いたり、通り過ぎる時のみ「仕切り」となるようにしてもよい。同様の用途として、「鉄道駅のホームドアのガラス部分」、「内装パーテーション（ファーストフード店のカウンターの仕切り等）」、「ビジネスビルやホテル内のガラスパーテーション」、「リビングとキッチンカウンタの間の仕切り」、「階段やエスカレータの手すりのガラス部分」等に用いてもよい。窓ガラス、嵌め殺しの窓や、サッシフレームに光源を入れてもよい。
【００７０】
・非常灯：地下鉄や病院の非常灯として、消灯時は透明の仕切りとして、点灯時、すなわち、非常時は、避難方向などの情報を表示させてもよい。
【００７１】
・光るホワイトボード：消灯時は透明の仕切り板として、点灯時はその表面に書き込みできるホワイトボードとして用いてもよい。
【００７２】
・プロジェクションマッピングのスクリーン：本導光板及び照明装置は、その散乱機能により、外部からの光投影に対してスクリーンとしても機能する。この機能を活用し、消灯時は透明の仕切り板として、プロジェクション画像投影時はスクリーンとして、点灯時は照明として用いてもよい。
【００７３】
・ヘッドアップディスプレー（ＨＵＤ）用スクリーン：上記のスクリーン機能を活用し、消灯時は透明の仕切り板として、ＨＵＤ画像投影時はスクリーンとして、点灯時は照明として用いてもよい。
【００７４】
・サイネージパネル：半透過フィルムと積層して表示し、そのフィルムを交換可能としてもよい。すなわち、消灯時は透過性の情報表示として、点灯時は発光性の情報表示として用いてもよい。
【００７５】
・水族館の水槽：本導光板及び照明装置を水槽に用い、消灯時は透過性のある通常の水槽壁として、点灯時は水槽壁面の情報表示装置として用いてもよい。
【００７６】
・蛍光灯のグレア防止用ルーバ：点灯時、本導光板及び照明装置を、蛍光灯のグレア防止用ルーバに用いてもよい。蛍光灯からの直接光を散乱して、まぶしさを低減すると同時に、発光時は散乱発光による、まぶしくない光を蛍光灯の光に加えることができる
・自動車リアウインドウ用ハイマウントストップランプ：本導光板及び照明装置をリアウインドウに設けてハイマウントストップランプとしてもよい。消灯時は透明のウインドウとして、発光時、すなわち、ブレーキ作動時は、ストップランプとして機能させてもよい。このとき、特開２０１６−２５０３９号公報に開示されている方法を用いて、一方向発光とし、自動車の外向きだけに発光させて、内向きには発光させなくしてもよい。
【００７７】
・自動車用テールランプ：本導光板及び照明装置を自動車用テールランプに用いてもよい。光拡散効果による主面からの発光を用いると同時に、入射側と反対側の側面からの出射光も活用してもよい。消灯時は透明なので、点灯時の消灯時のコントラストをつけることを可能とする。
【００７８】
図１〜図３に示すように、照明装置１０は、いわゆるエッジライト型の照明装置として構成され、導光板３０と、導光板３０の側方に配置された発光体２２を含む光源２０と、を有している。導光板３０は、平板状に形成され、一対の対向する主面として第１主面３１ａ及び第２主面３１ｂを有している。図示された第１の実施の形態では、第１主面３１ａが、照明装置１０の発光面１０ａを形成している。照明装置１０は、図１に二点鎖線で示すように、導光板３０の第２主面３１ｂに対面するようして設けられた筐体１１を有する。筐体１１は、その端部において、導光板３０の側端面の全周に接続するようにして、導光板３０の第２主面３１ｂを覆っている。筐体１１の内面は、金属等の高反射率材料からなる反射面として形成されている。
【００７９】
図示する例において、平板状の導光板３０は、平面視において四角形形状に形成されている。したがって、一対の主面である第１主面３１ａ及び第２主面３１ｂも、四角形形状に形成され、且つ、導光板３０の一対の主面３１ａ，３１ｂ間に画成される側面は四つの面を含んでいる。導光板３０の板面に沿って延びる第１方向ｄ１に対向する二つの側面のうちの一方の側面が、入光面３１ｃをなしている。図１及び図２に示すように、入光面３１ｃに対面して光源２０の発光体２２が設けられている。図１に示すように、入光面３１ｃから導光板３０に入射した光Ｌ１１，Ｌ１２，Ｌ１３は、第１方向（導光方向）ｄ１に沿って入光面３１ｃに対向する反対面３１ｄに向け、概ね第１方向（導光方向）ｄ１に沿って導光板３０内を進むようになる。
【００８０】
光源２０は、例えば、線状の冷陰極管等の蛍光灯や、点状のＬＥＤ（発光ダイオード）や白熱電球等の種々の態様で構成され得る。第１の実施の形態において、光源２０は、入光面３１ｃの長手方向である第２方向ｄ２に沿って、並べて配置された多数の点状発光体２２、具体的には、多数の発光ダイオード（ＬＥＤ）によって、構成されている。各点状発光体２２の出力、すなわち、各点状発光体２２の点灯および消灯、及び／又は、各点状発光体２２の点灯時の明るさは、他の点状発光体の出力から独立して調節され得ることが好ましい。なお、図示された例において、第１方向ｄ１及び第２方向ｄ２は、互いに直交し、且つ、ともに導光板３０の板面に平行となっている。
【００８１】
次に、図１〜図４を参照して、導光板３０についてさらに詳述する。導光板３０は、一対の対向する主面４１ａ，４１ｂを含む平板状の取出導光層４０を有している。取出導光層４０は、その第１主面４１ａが導光板３０の第１主面３１ａに近接する側に位置し且つその第２主面４１ｂが導光板３０の第２主面３１ｂに近接する側に位置するよう、配置されている。さらに図示された例において、導光板３０は、第１主面４１ａの側から取出導光層４０に順に積層された第１低屈折率層５５及び第１カバー層５６と、第２主面４１ｂの側から取出導光層４０に順に積層された第２低屈折率層５７及び第２カバー層５８と、をさらに有している。
【００８２】
取出導光層４０は、一対の対向する主面をなす第１主面４６ａ及び第２主面４６ｂを有したベース部４５と、ベース部４５内に設けられた光拡散部５０と、を有している。図示された例において、ベース部４５の第２主面４６ｂには、第１方向ｄ１に間を開け、第１領域Ｚ１、及び、第２領域Ｚ２が定められ、そして、その第１領域Ｚ１に対応する領域内のみに、やはり所定の間を開けて、複数の溝４９が形成されている。一例として、第１領域Ｚ１、及び、第２領域Ｚ２を交互に定めたものを図示した。図５〜図７も同様である。特に、図６〜図７においては、光拡散部５０と、取出要素５３を併記してある。もちろん、図示していないが、本発明の趣旨の範囲内において、第２領域Ｚ２に対応する領域内にも、溝や、光拡散部、さらには、取出要素を配置することは可能である。
【００８３】
また、図中、第１領域Ｚ１、第２領域Ｚ２、溝４９、光拡散部５０、取出要素５３を全て、第２方向に延びている直方体形のものとして示したが、これに限定されず、その断面形状を所望の形としてもよいし、その数や配置、さらには、延長する方向や、長さも所望のものとすることができる。光拡散部５０は、溝４９内に設けられている。ベース部４５は、導光板３０の外輪郭に対応して、平面視四角形形状の板状部材として形成されている。図示された例において、光拡散部５０は、ベース部４５の対応する溝４９を埋めるようにして当該溝４９の内部に配置されている。そして、取出導光層４０の第１主面４１ａは、ベース部４５の第１主面４６ａによって形成され、取出導光層４０の第２主面４１ｂは、ベース部４５の第２主面４６ｂと光拡散部５０の端面とによって形成されている。
【００８４】
ベース部４５の一対の主面４６ａ，４６ｂ間に、四つの側面が形成されている。そして、第１方向ｄ１に対向する一対の側面４６ｃ，４６ｄのうちの、第１方向ｄ１における光源２０に近接する一側に配置された入光側面４６ｃが、導光板３０の入光面３１ｃを形成し、第１方向ｄ１における光源２０から離間する他側に配置された反対側面４６ｄが、導光板３０の反対面３１ｄを形成している。
【００８５】
ベース部４５は、光源２０からの光を導光する部位であることから、高い透過率を有した材料、例えば、透明な樹脂材料から形成される。一方、光拡散部５０は、入射光を拡散させる機能を有した層であり、取出導光層４０内を進む光の進行方向、及び／または、波長特性を変化させる部位である。後述するように、光拡散部５０で進行方向を曲げられた光は、取出導光層４０から出射することが可能となる。すなわち、光拡散部５０は、導光板３０の取出導光層４０内を導光されている光を導光板３０から取り出すための取出要素として機能する。
【００８６】
このような光拡散部５０は、図４に示すように、樹脂材料からなる主部５０ａと、主部５０ａ中に分散された拡散成分５０ｂ及び５０ｃと、を有するように構成され得る。ここで、拡散成分５０ｂとは、反射や屈折等によって、光の進路方向を変化させる機能を発揮し得る成分のことである。拡散成分５０ｂとして、金属化合物、気体を含有した多孔質物質、金属化合物を周囲に保持した樹脂ビーズ、白色微粒子、さらには、単なる気泡が例示される。
【００８７】
拡散成分をなす白色粒子として、酸化チタンが添加されたアクリル樹脂粒子を例示することができる。このアクリル樹脂粒子は、光拡散部内に２０％以上３０％以下の重量％で含有することができる。白色粒子の平均粒径（平均直径）は、例えば、１μｍ以上３０μｍ以下とすることができる。光拡散部が白色粒子を含有することができるよう、導光板の法線方向に直交する断面における光拡散部の断面積は、白色粒子の平均粒径の二乗よりも大きくなっていてもよい。また、光拡散部が白色粒子を含有することができるよう、光拡散前記第１方向に沿った幅ｗを、平均粒径（平均直径）以上とすることができる。
【００８８】
拡散成分５０ｃは、複数の光拡散部５０に含まれて、「入光側面４６ｃから入光し、ベース部４５内を導光された光」となる、「光源２０の発光体２２から発せられた光源光」の進行方向及び波長特性を変化させる。この拡散成分５０ｃは、拡散成分５０ｂと同様に、上記したアクリル樹脂粒子に分散してもよいが、主部５０ａを構成する樹脂材料中に直接分散してもよい。拡散成分５０ｃは、無機顔料、有機顔料、蛍光顔料、さらには、天然染料、合成染料や蛍光染料が添加された、合成樹脂粒子、例えばアクリル樹脂粒子であるようにしてもよい。
【００８９】
有機顔料として、フタロシアニン系顔料、溶性アゾ顔料、不溶性アゾ顔料、不溶性多環式顔料や、不溶性レーキ顔料を用いてもよい。特に、不溶性アゾ顔料、不溶性多環式顔料、不溶性レーキ顔料は、鮮明な色相を有し、透明性が高いため、意匠性を高めることを可能とする。無機顔料としては、複合酸化物系顔料、微粒子複合酸化物系顔料、ハイブリッド型顔料等を用いてもよい。これらは、微粒子化し易く、透明性を維持しつつ、意匠性を高めることを可能とする。
【００９０】
天然染料、及び、合成染料として、ダイレクトレッド２などの直接染料、オレンジ２などの酸性染料、メチレンブルーなどの塩基性染料、カチオン染料、アリザリンなどの媒染染料、モーダントブラック３などの酸性媒染染料、硫化染料、インディゴなどの建染染料、ナフトール染料、ディスパースイエロー７などの分散染料、レアクティブレッド１などの反応染料等を用いてもよい。高い透明性と高い意匠性を実現できる。
【００９１】
拡散成分５０ｃとして、ユウロピウム付活アルカリ土類シリコンオキシナイトライド系蛍光体などの緑色蛍光体、ユーロピウム賦活希土類オキシカルコゲナイド系蛍光体などの赤色蛍光体、ユーロピウム賦活バリウムマグネシウムアルミネート系蛍光体などの青色蛍光体や、ガーネット系蛍光体などの黄色蛍光体等を用いてもよい。これらの蛍光体は、光源２０の非発光時は、無色であり、光源２０の発光時に各々の色を発光することを可能とする。拡散成分５０ｃは、単独で用いてもよいし、拡散成分５０ｂと併用してもよい。主部５０ａ中に分散させた、無機顔料、有機顔料や蛍光顔料の微粒子や、主部５０ａ中に相溶させた天然染料、合成染料や蛍光染料であるようにしてもよい。
【００９２】
拡散成分５０ｃは、Ｒ（赤色）、Ｇ（緑色）、Ｂ(青色)を呈して、マルチカラー表示や、フルカラー表示として、視認可能とするものとしてもよい。さらに、拡散成分５０ｃとして、蓄光材料、すなわち、硫化亜鉛系蓄光顔料や、アルミン酸系蓄光顔料、例えば、ＥｕドープＳｒＡｌ2Ｏ3などの蓄光顔料そのもの、もしくは、これらの蓄光顔料が添加された合成樹脂、例えば蓄光顔料が添加されたアクリル樹脂粒子であるようにしてもよい。また、上記した有機顔料等と混合してもよい。これらの蓄光顔料は前記蓄光特性を呈する。
【００９３】
なお、図示された、第１領域Ｚ１に対応する領域内に設けられ、光源２０の発光体２２から放出される、所定の光源照明によって、その第１領域Ｚ１を視認可能とする、光拡散部５０は、ベース部４５の溝４９内に形成されてベース部４５とともに四角形薄板状の取出導光層４０をなす。したがって、各光拡散部５０は、溝４９に対応した形状及び配置にて構成されている。このため、以下においては、光拡散部５０の形状および配置を代表として説明し、溝４９と取出要素５３の、形状および配置を説明したこととする。
【００９４】
図１に示すように、複数の光拡散部５０は、第１領域Ｚ１対応する領域内のみに設けられて、第１方向ｄ１に配列されている。各光拡散部５０は、配列方向である第１方向ｄ１と非平行な方向に延びている。とりわけ図示された例では、図２に示すように、各光拡散部５０は、第１方向ｄ１と直交する第２方向ｄ２に直線状に延びている。また、各光拡散部５０は、その長手方向に直交する断面、すなわち第２方向ｄ２に直交する断面において矩形形状となっている。また、光拡散部５０の断面をなす矩形形状の一対の面は、導光板３０の板面への法線方向ｎｄに沿って延びている。
【００９５】
図示された例において、導光板３０の板面への法線方向ｎｄ（図４参照）に沿った光拡散部５０の高さｈ（図４参照）は、取出導光層４０に含まれる複数の光拡散部５０の間で、一定ではない。光拡散部５０は、上述したように入射光を拡散させ導光板３０からの出射を引き起こす取出要素として、機能する。したがって、光拡散部５０の取出導光層４０内における体積分布によって、取出導光層４０からの出射光量分布を調整することができる。このため、導光方向ｄ１に沿って光源２０から離間した領域において出射光量が低下しやすくなるといった傾向を考慮した上で、光拡散部５０の高さｈを決定することにより、導光方向である第１方向ｄ１における出射光量分布を制御することができる。
【００９６】
図示された例では、第１方向ｄ１に沿った出射光量分布を均一化する観点から、光拡散部５０の高さｈが次のように決定されている。まず、少なくとも一つの光拡散部５０の高さｈが、当該一つの光拡散部５０よりも第１方向ｄ１において光源２０に近接する一側に位置する少なくとも一つの他の光拡散部５０の高さｈよりも高くなっている。これにより、出射光量が低下しやすい導光方向に沿って光源２０から離間した領域においても光拡散部５０に入射しやすくなり、当該光源２０から離間した領域において、出射光量を確保することが可能となる。
【００９７】
さらに図示された例では、任意の一つの光拡散部５０の高さが、当該一つの光拡散部５０よりも第１方向ｄ１において光源２０に近接する一側に位置する他の光拡散部５０の高さ以上となっている。或いは、任意の一つの光拡散部５０の高さが、当該一つの光拡散部５０よりも第１方向ｄ１において光源２０に近接する一側に位置する他の光拡散部５０の高さより高くなっている。このような光拡散部５０の高さｈの分布によれば、光源２０から離間するにつれて光拡散部５０に入射しやすくすることができ、結果として、導光方向に沿った出射光量分布を効果的に均一化することができる。
【００９８】
この原理を用いて、図示していないが、第２領域Ｚ２に対応する領域内に、同様の光拡散部を、前記第１領域Ｚ１対応する領域内のみに設けられた光拡散部５０より、低い高さで設けることで、第１領域Ｚ１対応する領域と、第２領域Ｚ２に対応する領域にコントラストを生じることとしてもよい（図示せず。）。すなわち、前記取出光導層４０の法線方向ｎｄに沿った、前記ベース部４５内の前記第１領域Ｚ１に対応する領域内の光拡散部５０の高さｈが、前記取出光導層４０の法線方向ｎｄに沿った、前記ベース部４５内の前記第２領域Ｚ２に対応する領域内の光拡散部（図示せず。）の高さ（図示せず。）よりも高いものとして、上記した所定の光源照明によって、第１領域を視認可能としてもよい。
【００９９】
その一方で、第１方向ｄ１に沿った光拡散部５０の幅ｗは、図示された例のように、取出導光層４０に含まれる複数の光拡散部５０の間で、一定となっていることが好ましい。同様に、第１方向ｄ１に沿った光拡散部５０のピッチも、図示された例のように、取出導光層４０に含まれる複数の光拡散部５０の間で、一定となっていることが好ましい。さらに、第１方向ｄ１に隣り合う二つの光拡散部の当該第１方向ｄ１に沿った離間間隔ｄも、図示された例のように、取出導光層４０に含まれる複数の光拡散部５０の間で、一定となっていることが好ましい。このような構成によれば、ベース部４５と異なる透過率を有していることからベース部４５と区別して視認されやすくなる光拡散部５０を、目立たなくさせることができる。
【０１００】
以上のような取出導光層４０の具体的な寸法は、一例として次のように設定され得る。まず、取出導光層４０の板面への法線方向ｎｄに沿った厚みを、２ｍｍ以上１０ｍｍ以下とすることができる。また、第１方向ｄ１に沿った光拡散部５０の幅ｗを、１μｍ以上２０μｍ以下とすることができる。さらに、隣り合う二つの光拡散部５０の第１方向ｄ１に沿った離間間隔ｄを、５０μｍ以上５００μｍ以下とすることができる。さらに、取出導光層４０の板面への法線方向ｎｄに沿った光拡散部５０の高さｈを、１μｍ以上５０μｍ以下とすることができる。また、第１方向ｄ１に沿った光拡散部５０の幅ｗに対する、取出導光層４０の板面への法線方向ｎｄに沿った光拡散部５０の高さｈの比（ｈ／ｗ）、すなわち光拡散部５０のアスペクト比を０．１以上１０以下とすること、好ましくは１より大きくすることができる。光拡散部５０のアスペクト比が高い場合、導光板３０の板面への法線方向ｎｄに沿った光拡散部５０の投影面積を小さくしながら、導光板３０内に或る程度の体積で光拡散部５０を含ませることが可能となる。すなわち、図３に示すように、法線方向ｎｄから導光板３０を観察した際に、光拡散部５０が目立ってしまうことを防止ながら、光拡散部５０が取出要素として有効に機能することを可能にすることができる。
【０１０１】
なお、ベース部４５の一対の主面４６ａ，４６ｂのそれぞれにおいて全反射を繰り返すことによる導光を実現可能とするため、第１方向ｄ１に隣り合ういずれか二つの光拡散部５０が、
・当該二つの光拡散部５０の第１方向ｄ１に沿った離間間隔ｄと、
・当該二つの光拡散部５０の取出導光層４０の法線方向ｎｄに沿った高さｈ１，ｈ２と、
・取出導光層４０の屈折率ｎと、
・光拡散部５０が設けられている面４６ｂの側から取出導光層４０に隣接する層５７の屈折率ｎＬと、
を用いた次の式（ａ）を満たすようになっている。
【０１０２】
ｔａｎ（Ａｒｃｓｉｎ（ｎＬ／ｎ））≦ｄ／（ｈ１＋ｈ２）・・・式（ａ）
隣接層（図示された例では第２低屈折率層）５７とベース部４５との界面での全反射臨界角度θｔは「Ａｒｃｓｉｎ（ｎＬ／ｎ）」となる。この全反射臨界角度θｔが、図４における角度θａ（＝Ａｒｃｔａｎ（ｄ／（ｈ１＋ｈ２）））よりも大きくなると、図４に示された二つの光拡散部５０の間となる位置において、ベース部４５の第２主面４６ｂで全反射した光は、必ず、他側に位置する高さｈ２の光拡散部５０へ入射して、ベース部４５内での導光を継続することができなくなる。したがって、第１方向ｄ１に隣り合ういずれか二つの光拡散部５０が式（ａ）を満たす。好ましくは、第１方向ｄ１に隣り合う任意の二つの光拡散部５０が、すべて、式（ａ）を満たす。
【０１０３】
以上のような構成からなる取出導光層４０は、一具体例として、次のようにして製造され得る。まず、ベース部４５を、例えば、電子線、紫外線等の電離放射線の照射により硬化する特徴を有するエポキシアクリレート等の硬化性材料を用いて、作製する。この段階で、光拡散部５０を、第１領域Ｚ１にのみ設けておいてもよい。こうすることで、後の工程が非常に容易となる。すなわち、溝自体を、予め、凹凸形状として設けてある、凹凸原版から複製手段を用いて作製してもよい。このような、凹凸原版は、レーザー光や、電子線を用いた、感光性レジスト処理や、ドライエッチング処理により設けることができる。次に、硬化することによって光拡散部５０の主部をなすようになる硬化性材料と、光拡散部５０の拡散成分と、を含んだ未硬化で液状の組成物を用いて、光拡散部５０を作製する。硬化することによって光拡散部５０の主部をなすようになる硬化性材料として、電離放射線により硬化する特徴を有するウレタンアクリレート等の硬化性材料を用いることができる。まず、先に形成されたベース部４５上に組成物を供給する。
【０１０４】
または、第１領域Ｚ１及び第２領域Ｚ２の全領域に溝４９と同様の溝を設けておいて、ベース部４５と屈折率が同一、もしくは、屈折率差が０．０３以内の適宜な合成樹脂を用いて、第２領域Ｚ２の領域のみ、その溝を埋めてもよい。こうすることで、第１領域Ｚ１の領域の形（この形を視認することとなる。）を任意のものとすることができ、高い自由度を確保できるものとしてもよい。この溝を埋める手段として、高い印刷位置精度、且つ、高い任意性（印刷位置を容易に変えられる特性。）を有しているスクリーン印刷、特には、ステンレススクリーン印刷を用いてもよい。その後、ベース部４５の溝４９の内部に、ドクターブレードを用いながら、組成物を充填しつつ、当該溝４９の外に溢出した余剰分の組成物を掻き落としていく。なお、掻き落としきれないことを原因としてベース部４５の主面上へ拡散成分が残留することを回避するため、拡散成分の粒径は、１μｍ以上であること好ましく、また、溝４９の幅の５０％以下となっていることが好ましい。
【０１０５】
このベース部４５上への組成物供給、ベース部４５の溝４９の内部に、ドクターブレードを用いながら、組成物を充填しつつ、該溝４９外に溢出した余剰分の組成物を掻き落とす手順の前に、ベース部４５の溝４９の一部を、マスキング（溝４９の上に薄いフィルム上の蓋をする。）して、上記の手順を施し、マスキング位置を変えつつ、この一連の手順を繰り返して、「入光側面４６ｃから入光し、ベース部４５内を導光された光」となる、「光源２０の発光体２２から発せられた光源光」の進行方向及び波長特性を変化させる性質が異なる、複数の光拡散部５０を作製してもよい。その後、溝４９内の組成物に電離放射線を照射して硬化させることにより、光拡散部５０が形成される。または、第２領域Ｚ２の領域のみを、予め、適宜な材料で埋めておき、上記した充填を施した後、その適宜な材料を、除去してもよい。このような適宜な材料としては、所定の溶剤にて溶解除去可能な合成樹脂材料や、露光によるパターニングを施せる感光性材料、さらには、貼付後、粘着残渣無く剥離可能な、粘着ラベルや、粘着テープを用いてもよい。これにより、ベース部４５及び光拡散部５０を有する取出導光層４０が作製される。
【０１０６】
次に、導光板３０に含まれるその他の層５５，５６，５７，５８について説明する。まず、取出導光層４０の主面に隣接して配置された第１低屈折率層５５及び第２低屈折率層５７は、取出導光層４０のベース部４５よりも低い屈折率を有した層である。ここで説明する導光板３０では、取出導光層４０のベース部４５と低屈折率層５５，５７との界面での反射、とりわけ屈折率差に起因した全反射により、光を導光することを期待している。
【０１０７】
このため、低屈折率層５５，５７の屈折率は、取出導光層４０のベース部４５の屈折率よりも、０．０３以上低くなっていることが好ましく、０．０６以上低くなっていることがより好ましい。なお、図示された例において、低屈折率層５５，５７は、粘着剤や接着剤等からなる接合層として形成されており、カバー層５６，５８を取出導光層４０に貼合するための層として機能している。一方、第１カバー層５６及び第２カバー層５８は、導光板３０の一対の主面３１ａ，３１ｂを画成する層である。このようなカバー層５６，５８は、例えば、取出導光層４０や低屈折率層５５，５７よりも耐擦傷性に優れたハードコート層として形成され得る。なお、本件明細書で言及する耐擦傷性は、ＪＩＳＫ５６００−５−４（１９９９年）に準拠して実施される鉛筆硬度試験での試験結果に基づいて評価される。
【０１０８】
次に、以上のような構成からなる照明装置１０及び導光板３０の作用について説明する。
【０１０９】
まず、図１に示すように、光源２０をなす発光体２２で発光された光は、入光面３１ｃを介し、導光板３０の取出導光層４０内に入射する。取出導光層４０をなす材料の屈折率が、通常、１．４〜１．６であることに起因して、図１に示すように、屈折率１の空気層から取出導光層４０のベース部４５内に入射した光Ｌ１１，Ｌ１２，Ｌ１３の進行方向は、ベース部４５の入光側面４６ｃ（導光板３０の入光面３１ｃ）への法線方向に対して、すなわち第１方向ｄ１に対して大きく傾斜することはない。そして、取出導光層４０のベース部４５へ入射した光Ｌ１１，Ｌ１２，Ｌ１３の多くは、ベース部４５の第１主面４６ａおよび第２主面４６ｂにおいて、反射、とりわけベース部４５とベース部４５に隣接する低屈折率層５５，５７との屈折率差に起因した全反射を繰り返し、ベース部４５の入光側面４６ｃと反対側面４６ｄとを結ぶ導光方向、とりわけ図示された例では第１方向ｄ１へ進んでいく。
【０１１０】
ただし、取出導光層４０内には、第１方向ｄ１に間隔をあけて光拡散部５０が設けられている。光拡散部５０は、ベース部４５の溝４９内に形成され、取出導光層４０の法線方向ｎｄに沿って取出導光層４０の第２主面４１ｂから取出導光層４０内に延び出している。したがって、取出導光層４０のベース部４５内を進む光は、この光拡散部５０に入射することもある。そして、図１に示すように、ベース部４５内を進む光は、光拡散部５０に入射すると、光拡散部５０での拡散機能によって進行方向を曲げられ、拡散成分５０ｃによって、その波長特性が変化する。特に、ベース部４５を構成する樹脂の屈折率と、光拡散部５０内の主部５０ａを構成する樹脂の屈折率との差が、０．０３以下となっていると、光拡散部５０の側面での光の反射や光の屈折現象が抑制され、光拡散部５０の中により多くの光が入射することを可能とし、導光板３０に入射した光Ｌ１、Ｌ２やＬ３が、その光拡散部５０の側面や主部５０ａ内を、ほぼ直進して、その光の強度を落とすことなく、拡散成分５０ｂと５０ｃへ到達することを可能とし、その進行方向や波長特性の変化を促進するものとしてもよい。
【０１１１】
この結果、光拡散部５０で拡散され、変化した波長特性を持つ光は、全反射臨界角度以下の角度で取出導光層４０の第１主面４１ａに入射し、第１主面４１ａを介して取出導光層４０から出射するようになる。このような光は、第１低屈折率層５５及び第１カバー層５６を透過して、発光面１０ａをなす第１主面３１ａを介して導光板３０から照明光として出射する。この際、光拡散部５０での拡散によって、導光板３０の第２主面３１ｂに向かう光も生じるが、このような光は、筐体１１の内面で反射して導光板３０に再入射し、その後、導光板３０から照明光として出射する或いは導光板３０内を導光される。
【０１１２】
なお、光拡散部５０は、導光方向である第１方向に配列されている。したがって、取出導光層４０のベース部４５内を進行する光は、導光方向に沿った各区域において、光拡散部５０に入射する。このため、取出導光層４０のベース部４５内を進んでいる光は、導光方向に沿った各区域において、導光板３０から出射するようになる。とりわけ上述したように光拡散部５０の高さｈが調節されている場合には、導光方向に沿って光源に近接する側での出射光量が多くなり且つ導光方向に沿って光源から離間する側での出射光量が少なくなるといった傾向を効果的に解消し、導光方向に沿った各位置からの出射光量の分布を効果的に均一化することができる。より具体的には、少なくとも一つの光拡散部５０の高さｈが、当該一つの光拡散部５０よりも第１方向ｄ１において光源側に位置する少なくとも一つの他の光拡散部５０の高さよりも高い場合、より好ましくは、任意の一つの光拡散部５０の高さｈが、当該一つの光拡散部５０よりも第１方向ｄ１において光源側に位置する他の光拡散部５０の高さｈ以上または他の光拡散部５０の高さｈよりも高い場合、導光方向に沿った各位置からの出射光量の分布を効果的に均一化することが可能となる。
【０１１３】
以上のようにして、導光板３０から光が出射することにより、照明装置１０の発光面１０ａが照明光を発光する。
【０１１４】
ところで、従来の照明装置及び導光板では、導光板の光取出要素となる光拡散部の高さを調整することにより、導光板からの出射光量の導光方向に沿った分布を制御しており、法線方向から導光板を観察した場合、光拡散部間での高さの変化は感知され難いものとしたが、あくまで、導光した光の進行方向制御のみに依存しており、その効果に限界があるのみでなく、意匠性の低下を招いていた。
【０１１５】
また、光拡散部の第１方向に沿った幅を十分に小さくして、光拡散部の存在自体を感知し難くし、導光板のヘイズ値を、０．１％以上１０％以下としていた（ヘイズ値は、ヘイズメーター：村上色彩技術研究所製、製品番号；ＨＭ−１５０を用いてＪＩＳ  Ｋ７１３６に準拠した方法により測定することができる。）。しかし、その幅を小さくすることは、発光時の「仕切り」としての性能を低下させ、結果として、意匠性の低下を招き、その用途を制限するものであった。
【０１１６】
これに対して、以上のような第１の実施の形態によれば、導光板３０から光を取り出すための取出要素として機能する光拡散部５０を効果的に目立たなくさせて、導光板３０から光を取り出すための取出要素が感知されることによって照明装置１０のデザイン性が損なわれることを、効果的に回避することができるだけでなく、光源２０の発光体２２を点灯させて、所定の光源照明を施すことによって、第１領域Ｚ１を視認可能とし、すなわち、第１領域Ｚ１が表示する、文字、図形、や記号情報が出現することを可能とし、これにより、照明装置１０に、著しく高い意匠性を付与し、さらに、種々の設置位置に対して照明装置１０を調和させることができる。
【０１１７】
ここで、文字情報とは、言語に直接結び付いて意味を表す符号や記号であり、「言語に直接結び付いて」とは、文字が発音そのものを表すということでは必ずしもなく、具体的な事物を表す記号からなる文字の体系（象形文字）や、文字が表す語の意味は一定だが文字の発音は言語によって異なりうる体系（漢字など）も含まれる。図形情報とは、様々な形を表現したものであって、立体、面、線や点などの集合である。また、空間における物体の形状や位置関係を抽象化したものも含まれる。記号情報とは、一定の事柄を指し表すために使う、文字やしるしであって、特に文字に対して符号類を指すことも含まれる。さらに、商業デザインや、法律で定められたもの、具体的な製品の名称や、種々の組織の名称やロゴ、印章、その他、識別性等の表示を目的とする文字、図形や記号が含まれる。そして、「視認可能となる」とした、その視認性とは、「視覚的な文字、図形や記号などを明確に認識することができるかを表すもの」であって、実際に目で見て確認した際の文字や図形などの見易さを示すものである。別の言い方をすれば、何らかの手段で形成された文字、図形や記号などの光学的特性の一つということができる。
【０１１８】
また、第１の実施の形態によれば、取出導光層４０に隣接して低屈折率層５５，５７が設けられている。そして、取出導光層４０のベース部４５内を進む光が反射する界面が、ベース部４５と低屈折率層５５，５７との間に形成されている。すなわち、取出導光層４０のベース部４５内を進む光が反射する界面が露出していない。このため、取出導光層４０のベース部４５内を進む光が反射することを予定された界面の損傷や異物付着を効果的に防止することができる。これにより、導光板３０内における導光のための光の反射が阻害されることを効果的に防止することができる。さらに、第１の実施の形態では、ベース部４５や低屈折率層５５，５７よりも耐擦傷性に優れたカバー層５６，５８によって、導光板３０の表面が形成されている。したがって、導光板３０を進む光が反射することを予定された界面の損傷や異物付着をより効果的に防止することができる。
【０１１９】
なお、上述した第１の実施の形態に対して様々な変更を加えることが可能である。以下、図面を適宜参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【０１２０】
上述した第１の実施の形態において、ベース部４５の第２主面４６ｂに溝４９が形成され、取出導光層４０の第２主面４１ｂ上に光拡散部５０が設けられている例を示したが、これに限られない。ベース部４５の第１主面４６ａに溝４９が形成され、取出導光層４０の第１主面４１ａ上に光拡散部５０が配置されるようにしてもよい。また、ベース部４５の第１主面４６ａ及び第２主面４６ｂのそれぞれに溝４９が形成され、取出導光層４０の第１主面４１ａ上及び第２主面４１ｂ上の両方に光拡散部５０が配置されるようにしてもよい。
【０１２１】
また、上述した第1の実施の形態において、導光板３０が、第１低屈折率層５５、第１カバー層５６、第２低屈折率層５７及び第２カバー層５８を有する例を示した。このような例においては、導光板３０からの光の取出しを促進するため、第１低屈折率層５５及び第１カバー層５６の少なくとも一方が、拡散成分を含有していることが好ましい。また、導光板３０からの光の取出しを促進するため、第２低屈折率層５７及び第２カバー層５８の少なくとも一方が、拡散成分を含有していることが好ましい。その一方で、第１低屈折率層５５、第１カバー層５６、第２低屈折率層５７及び第２カバー層５８は、必須ではなく、一以上を導光板３０から省くことができる。
【０１２２】
さらに、上述した第１の実施の形態において、導光板３０の第２主面３１ｂが筐体１１によって覆われ、導光板３０の第１主面３１ａ側にのみ発光面１０ａが形成される例を示したが、これに限られない。図５に示すように、導光板３０の第２主面３１ｂ側にも発光面が形成されるようにしてもよい。すなわち、照明装置１０が、対向する一対の発光面を有するようにしてもよい。
【０１２３】
さらに、上述した第１の実施の形態において、導光板３０の第１主面３１ａが照明装置１０の発光面１０ａをなす例を示したが、これに限られない。導光板３０の第１主面３１ａに対向する位置に、導光板３０からの出射光の進行方向を偏向するための偏向手段が設けられ、この偏向手段によって照明装置１０の発光面１０ａが形成されるようにしてもよい。偏向手段としては、出光側にプリズム面又はレンズ面を形成された集光シートが例示される。
【０１２４】
なお、以上において上述した第１の実施の形態に対するいくつかの変形例を説明してきたが、当然に、複数の変形例を適宜組み合わせて適用することも可能である。
【０１２５】
＜第２の実施の形態＞
次に、第２の実施の形態について説明する。以下に説明する第２の実施の形態は、導光版３０が、主導光層７０を更に有する点において、上述した第１の実施の形態と異なっている。以下における第２の実施の形態の説明においては、第１の実施の形態の対応する部分と同一の符号を付し、重複する説明を極力省略する。
【０１２６】
図６は、本発明の第２の実施の形態を説明するための図である。
【０１２７】
照明装置１０は、本発明の第１の実施の形態と同様に例えば室内または屋外の照明、広告用照明、表示装置用のバックライト等、種々の用途に使用され得る他、第１の実施形態と同様の用途に使用され得る。図６に示すように、照明装置１０は、いわゆるエッジライト型の照明装置として構成され、導光板３０と、導光板３０の側方に配置された発光体２２を含む光源２０と、を有している。導光板３０は、平板状に形成され、一対の対向する主面として第１主面３１ａ及び第２主面３１ｂを有している。図示された第２の実施の形態では、第１主面３１ａが、照明装置１０の最表面１０ａを形成している。照明装置１０は、図６に二点鎖線で示すように、導光板３０の第２主面３１ｂに対面するようして設けられた筐体１１を有する。筐体１１は、その端部において、導光板３０の側端面の全周に接続するようにして、導光板３０の第２主面３１ｂを覆っている。筐体１１の内面は、金属等の高反射率材料からなる反射面として形成されている。
【０１２８】
図示する例において、平板状の導光板３０は、平面視において四角形形状に形成されている。したがって、一対の主面である第１主面３１ａ及び第２主面３１ｂも、四角形形状に形成され、且つ、導光板３０の一対の主面３１ａ，３１ｂ間に画成される側面は四つの面を含んでいる。導光板３０の板面に沿って延びる第１方向ｄ１に対向する二つの側面のうちの一方の側面が、入光面３１ｃをなしている。図６に示すように、入光面３１ｃに対面して光源２０の発光体２２が設けられている。図６に示すように、入光面３１ｃから導光板３０に入射した光Ｌ６１，Ｌ６２は、第１方向（導光方向）ｄ１に沿って入光面３１ｃに対向する反対面３１ｄに向け、概ね第１方向（導光方向）ｄ１に沿って導光板３０内を進むようになる。
【０１２９】
光源２０は、上述した第１の実施の形態と同一に構成され得る。図示された第２の実施の形態において、光源２０は、入光面３１ｃの長手方向である第２方向ｄ２に沿って、並べて配置された多数の点状発光体２２、具体的には、多数の発光ダイオード（ＬＥＤ）によって、構成されている。なお、図示された例において、第１方向ｄ１及び第２方向ｄ２は、互いに直交し、且つ、ともに導光板３０の板面に平行となっている。
【０１３０】
次に、図６を参照して、導光板３０についてさらに詳述する。導光板３０は、一対の対向する第１主面７１ａ及び第２主面７１ｂを含む平板状の主導光層７０と、取出導光層４０を有している。また、図６に示すように、図示された例において、導光板３０は、取出導光層４０の主導光層７０とは反対側に順に積層された第２低屈折率層（表側低屈折率層）６２及び第１カバー層（表側カバー層）６６と、主導光層７０の取出導光層４０とは反対側に順に積層された第３低屈折率層（裏側低屈折率層）６３及び第２カバー層（裏側カバー層）６７と、をさらに有している。以下、各層について説明していく。
【０１３１】
まず、主導光層７０について説明する。主導光層７０は、その第１主面７１ａが導光板３０の第１主面３１ａに近接する側に位置し且つその第２主面７１ｂが導光板３０の第２主面３１ｂに近接する側に位置するよう、配置されている。主導光層７０は、導光板３０の外輪郭に対応して、平面視四角形形状の板状部材として形成されている。主導光層７０の一対の主面７１ａ，７１ｂ間に、四つの側面が形成されている。そして、第１方向ｄ１に対向する一対の側面７１ｃ，７１ｄのうちの、第１方向ｄ１における光源２０に近接する一側に配置された入光側面７１ｃが、導光板３０の入光面３１ｃを形成し、第１方向ｄ１における光源２０から離間する他側に配置された反対側面７１ｄが、導光板３０の反対面３１ｄを形成している。すなわち、光源２０の発光体２２は、主導光層７０の側面に対向して配置されている。主導光層７０は、光源２０からの光を導光する部位であることから、高い透過率を有した材料、例えば、透明な樹脂材料から形成される。
【０１３２】
次に、取出導光層４０について説明する。取出導光層４０は、第１方向ｄ１に配列された複数の取出要素５３を有している。取出要素５３は、前記した光拡散部５０と同様に、主導光層７０からの光の進行方向を変化させる。後述するように、取出要素５３で進行方向を曲げられた光は、導光板３０から出射することが可能となる。すなわち、取出要素５３は、導光板３０内を導光されている光を導光板３０から取り出すための要素として機能する。以下、図６に示された取出導光層４０の一例について詳述する。なお、図６〜図８に示された第２の実施の形態の取出導光層４０は、上述した第１の実施の形態の取出導光層と同様に構成され得る。
【０１３３】
図６に示された例において、取出導光層４０は、一対の対向する主面４１ａ，４１ｂを含む平板状に形成されている。そして、取出導光層４０は、その第１主面４１ａが導光板３０の第１主面３１ａに近接する側に位置し且つその第２主面４１ｂが導光板３０の第２主面３１ｂに近接する側に位置するよう、配置されている。図示された例において、取出導光層４０は、主導光層７０よりも、照明装置１０の最表面１０ａをなす導光板３０の第１主面３１ａに近接する側に位置している。
【０１３４】
取出導光層４０は、一対の対向する主面をなす第１主面４６ａ及び第２主面４６ｂを有したベース部４５と、ベース部４５内に設けられた取出要素５３と、を有している。図示された例において、ベース部４５の第２主面４６ｂには、第１方向ｄ１に間を開けて複数の溝４９が形成されている。取出要素５３は、溝４９内に設けられている。ベース部４５は、導光板３０の外輪郭に対応して、平面視四角形形状の板状部材として形成されている。図示された例において、取出要素５３は、ベース部４５の対応する溝４９を埋めるようにして当該溝４９の内部に配置されている。そして、取出導光層４０の第１主面４１ａは、ベース部４５の第１主面４６ａによって形成され、取出導光層４０の第２主面４１ｂは、ベース部４５の第２主面４６ｂと取出要素５３の端面とによって形成されている。
【０１３５】
ベース部４５の一対の主面４６ａ，４６ｂ間に、四つの側面が形成されている。そして、第１方向ｄ１に対向する一対の側面４６ｃ，４６ｄのうちの、第１方向ｄ１における光源２０に近接する一側に配置された入光側面４６ｃが、導光板３０の入光面３１ｃの一部分を形成し、第１方向ｄ１における光源２０から離間する他側に配置された反対側面４６ｄが、導光板３０の反対面３１ｄの一部分を形成している。ただし、光源２０の発光体２２は、ベース部４５の入光側面４６ｃに対面する位置には配置されていない。
【０１３６】
ベース部４５は、光源２０からの光を導光する。したがって、ベース部４５は、高い透過率を有した材料、例えば、透明な樹脂材料から形成される。一方、取出要素５３は、入射光を拡散させる機能を有した層である。したがって、取出要素５３は、第１領域Ｚ１の領域に対応する領域内にのみ設けられている。このような取出要素５３は、上述の第１の実施の形態と同様に、樹脂材料からなる主部５０ａ（図４参照）と、主部中に分散された拡散成分５０ｂ及び５０ｃ（図４参照）と、を有するように構成され得る。
【０１３７】
ここで、拡散成分とは、反射、屈折、吸収や発光等によって、光の進路方向、及び、波長特性を変化させる機能を発揮し得る成分のことである。拡散成分として、無機顔料、例えば白色粒子である、酸化チタンに加えて、有機顔料、例えば、不溶性レーキ顔料、蛍光顔料、さらには、天然染料、合成染料や蛍光染料が添加された、合成樹脂粒子、例えばアクリル樹脂粒子が例示される。このアクリル樹脂粒子は、光拡散部内に２０％以上３０％以下の重量％で含有することができる。白色粒子の平均粒径（平均直径）は、例えば、１μｍ以上３０μｍ以下とすることができる。光拡散部が白色粒子を含有することができるよう、導光板の法線方向に直交する断面における光拡散部の断面積は、白色粒子の平均粒径の二乗よりも大きくなっていてもよい。また、光拡散部が白色粒子を含有することができるよう、光拡散前記第１方向に沿った幅ｗを、平均粒径（平均直径）以上とすることができる。また、拡散成分は、主部中に分散させた、無機顔料、有機顔料や蛍光顔料の微粒子や、主部中に相溶させた天然染料、合成染料や蛍光染料を例示できる。さらに、蓄光材料、すなわち、硫化亜鉛系蓄光顔料や、アルミン酸系蓄光顔料、例えば、ＥｕドープＳｒＡｌ2Ｏ3などの蓄光顔料そのもの、もしくは、これらの蓄光顔料が添加された合成樹脂、例えば蓄光顔料が添加されたアクリル樹脂粒子であるようにしてもよい。また、上記した有機顔料等と混合してもよい。
【０１３８】
なお、図示された取出要素５３は、ベース部４５の溝４９内に形成されてベース部４５とともに四角形薄板状の取出導光層４０をなす。したがって、各取出要素５３は、溝４９に対応した形状及び配置にて構成されている。このため、以下においては、取出要素５３の形状および配置を代表として説明し、溝４９の形状および配置を説明したこととする。
【０１３９】
図６に示すように、複数の取出要素５３は、第１方向ｄ１に配列されている。各取出要素５３は、配列方向である第１方向ｄ１と非平行な方向に延びている。各取出要素５３は、第１方向ｄ１と直交する第２方向ｄ２に直線状に延びている。また、各取出要素５３は、その長手方向に直交する断面、すなわち第２方向ｄ２に直交する断面において矩形形状となっている。また、取出要素５３の断面をなす矩形形状の一対の面は、導光板３０の板面への法線方向ｎｄに沿って延びている。
【０１４０】
図示された例において、導光板３０の板面への法線方向ｎｄに沿った取出要素５３の高さｈ（図示せず。光拡散部５０と同様に定義される。）は、取出導光層４０に含まれる複数の取出要素５３の間で、一定ではない。取出要素５３は、上述したように入射光を拡散させ導光板３０からの出射を引き起こす取出要素として、機能する。したがって、取出要素５３の取出導光層４０内における体積分布によって、取出導光層４０からの出射光量分布を調整することができる。このため、導光方向ｄ１に沿って光源２０から離間した領域において出射光量が低下しやすくなるといった傾向を考慮した上で、取出要素５３の高さｈを決定することにより、導光方向である第１方向ｄ１における出射光量分布を制御することができる。
【０１４１】
図示された例では、第１方向ｄ１に沿った出射光量分布を均一化する観点から、取出要素５３の高さｈが次のように決定されている。まず、少なくとも一つの取出要素５３の高さｈが、当該一つの取出要素５３よりも第１方向ｄ１において光源２０に近接する一側に位置する少なくとも一つの他の取出要素５３の高さｈよりも高くなっている。これにより、出射光量が低下しやすい導光方向に沿って光源２０から離間した領域においても取出要素５３に入射しやすくなり、当該光源２０から離間した領域において、出射光量を確保することが可能となる。さらに図示された例では、任意の一つの取出要素５３の高さが、当該一つの取出要素５３よりも第１方向ｄ１において光源２０に近接する一側に位置する他の取出要素５３の高さ以上となっている。或いは、任意の一つの取出要素５３の高さが、当該一つの取出要素５３よりも第１方向ｄ１において光源２０に近接する一側に位置する他の取出要素５３の高さより高くなっている。このような取出要素５３の高さｈの分布によれば、光源２０から離間するにつれて取出要素５３に入射しやすくすることができ、結果として、導光方向に沿った出射光量分布を効果的に均一化することができる。
【０１４２】
その一方で、第１方向ｄ１に沿った取出要素５３の幅ｗは、図示された例のように、取出導光層４０に含まれる複数の取出要素５３の間で、一定となっていることが好ましい。同様に、第１方向ｄ１に沿った取出要素５３のピッチも、図示された例のように、取出導光層４０に含まれる複数の取出要素５３の間で、一定となっていることが好ましい。さらに、第１方向ｄ１に隣り合う二つの光拡散部の当該第１方向ｄ１に沿った離間間隔ｄも、図示された例のように、取出導光層４０に含まれる複数の取出要素５３の間で、一定となっていることが好ましい。このような構成によれば、ベース部４５と異なる透過率を有していることからベース部４５と区別して視認されやすくなる取出要素５３を、目立たなくさせることができる。
【０１４３】
以上のような取出導光層４０の具体的な寸法は、上述の第１の実施の形態と同様に設定することができる。
【０１４４】
以上のような構成からなる取出導光層４０は、第１の実施の形態において説明した取出導光層４０の製造方法と同様にして製造され得る。
【０１４５】
次に、導光板３０に含まれるその他の層６２，６３，６６，６７について説明する。まず、取出導光層４０の第１主面４１ａに隣接して配置された第２低屈折率層６２及び主導光層７０の第２主面７１ｂに隣接して配置された第３低屈折率層６３は、それぞれ隣接する取出導光層４０のベース部４５または主導光層７０よりも低い屈折率を有した層である。ここで説明する導光板３０では、取出導光層４０のベース部４５及び主導光層７０と第２及び第３低屈折率層６２，６３との界面での反射、とりわけ屈折率差に起因した全反射により、光を導光することを期待している。このため、第２低屈折率層６２の屈折率は、取出導光層４０のベース部４５の屈折率よりも、０．０３以上低くなっていることが好ましく、０．０６以上低くなっていることがより好ましい。第３低屈折率層６３の屈折率は、主導光層７０の屈折率よりも、０．０３以上低くなっていることが好ましく、０．０６以上低くなっていることがより好ましい。なお、図示された例において、第２及び第３低屈折率層６２，６３は、粘着剤や接着剤等からなる接合層として形成されており、カバー層６６，６７を取出導光層４０又は主導光層７０に貼合するための層として機能している。
【０１４６】
一方、第１カバー層６６及び第２カバー層６７は、導光板３０の一対の主面３１ａ，３１ｂを画成する層である。このようなカバー層６６，６７は、例えば、取出導光層４０、主導光層７０、低屈折率層６１，６２，６３よりも耐擦傷性に優れたハードコート層として形成され得る。なお、本件明細書で言及する耐擦傷性は、ＪＩＳＫ５６００−５−４（１９９９年）に準拠して実施される鉛筆硬度試験での試験結果に基づいて評価される。
【０１４７】
次に、以上のような構成からなる照明装置１０及び導光板３０の作用について説明する。
【０１４８】
まず、図６に示すように、光源２０をなす発光体２２で発光された光は、入光面３１ｃを介し、導光板３０の主導光層７０内に入射する。主導光層７０をなす材料の屈折率が、通常、１．４〜１．６であることに起因して、図６に示すように、屈折率１の空気層から主導光層７０内に入射した光Ｌ６１，Ｌ６２の進行方向は、主導光層７０の入光側面７１ｃ（導光板３０の入光面３１ｃ）への法線方向に対して、すなわち第１方向ｄ１に対して大きく傾斜することはない。そして、主導光層７０へ入射した光Ｌ６１，Ｌ６２の多くは、主導光層７０の第１主面７１ａおよび第２主面７１ｂにおいて、反射、とりわけ主導光層７０と主導光層７０に隣接する第１及び第３低屈折率層６１，６３との屈折率差に起因した全反射を繰り返し、主導光層７０の入光側面７１ｃと反対側面７１ｄとを結ぶ導光方向、とりわけ図示された例では第１方向ｄ１へ進んでいく。
【０１４９】
光Ｌ６１，Ｌ６２の多くは、次に、主導光層７０の第２主面７１ｂ及び取出導光層４０のベース部４５の第１主面４６ａにおいて、反射、とりわけ主導光層７０と主導光層７０に隣接する第３低屈折率層６３との屈折率差並びに取出導光層４０のベース部４５と第２低屈折率層６２との屈折率差に起因した全反射を繰り返す。この反射により、導光板３０の入光面３１ｃと反対面３１ｄとを結ぶ導光方向、とりわけ図示された例では第１方向ｄ１に、導光板３０内を光が引き続き導光される。
【０１５０】
ただし、取出導光層４０内には、第１方向ｄ１に間隔をあけて取出要素５３が設けられている。取出要素５３は、ベース部４５の溝４９内に形成され、取出導光層４０の法線方向ｎｄに沿って取出導光層４０の第２主面４１ｂから取出導光層４０内に延び出している。したがって、取出導光層４０のベース部４５内を進む光は、この取出要素５３に入射することもある。そして、図６に示すように、ベース部４５内を進む光は、取出要素５３に入射すると、取出要素５３での拡散機能によって進行方向を曲げられ、及び／または、波長特性が変化する。
【０１５１】
この結果、取出要素５３で拡散された光は、進行方向を曲げられて、及び／または、変化した波長特性を持ちつつ、全反射臨界角度以下の角度で取出導光層４０の第１主面４１ａに入射し、第１主面４１ａを介して取出導光層４０から出射するようになる。このような光は、第２低屈折率層６２及び第１カバー層６６を透過して、照明装置１０の最表面１０ａをなす第１主面３１ａを介して導光板３０から照明光として出射する。この際、取出要素５３での拡散によって、導光板３０の第２主面３１ｂに向かう光も生じるが、このような光は、筐体１１の内面で反射して、導光板３０に再入射し、その後、導光板３０から照明光として出射する或いは導光板３０内を導光される。
【０１５２】
なお、取出要素５３は、導光方向である第１方向ｄ１に配列されている。とりわけ上述したように取出要素５３の高さｈが調節されている場合には、導光方向に沿って光源２０に近接する側での出射光量が多くなり且つ導光方向に沿って光源から離間する側での出射光量が少なくなるといった傾向を効果的に解消し、導光方向に沿った各領域からの出射光量の分布を効果的に均一化することができる。より具体的には、少なくとも一つの取出要素５３の高さｈが、当該一つの取出要素５３よりも第１方向ｄ１において光源側に位置する少なくとも一つの他の取出要素５３の高さよりも高い場合、より好ましくは、任意の一つの取出要素５３の高さｈが、当該一つの取出要素５３よりも第１方向ｄ１において光源側に位置する他の取出要素５３の高さｈ以上または他の取出要素５３の高さｈよりも高い場合、導光方向に沿った各位置からの出射光量の分布を効果的に均一化することが可能となる。
【０１５３】
上述したように、従来の導光板では、裏面に設けた拡散性物質の密度を導光方向に沿って変化させることによって出射光量を制御していた。したがって、従来の導光板では、拡散性物質が、パターンを持って、導光板の裏面に設けられていた。そして、拡散性物質のパターンが視認されることにより、意匠性の低下や高級感の喪失等の外観上の問題から、従来の照明装置の使用範囲が制限されてきた。加えて、拡散反射パターンの面積変化だけでは、出射光量の全体的な分布を制御することしかできず、自由な出射光量制御を実現することが不可能であった。
【０１５４】
そして、このような不具合を解消するため、照明装置及び導光板において、導光板の取出要素となる光拡散部の高さを調整することにより、導光板からの出射光量の導光方向に沿った分布を制御している。そして、法線方向から導光板を観察した場合、光拡散部間での高さの変化は感知され難いものとしたが、あくまで、導光した光の進行方向制御のみに依存しており、その効果に限界があるのみでなく、意匠性の低下を招いた。
【０１５５】
また、光拡散部の第１方向に沿った幅を十分に小さくして、光拡散部の存在自体を感知し難くし、導光板のヘイズ値を、０．１％以上１０％以下としていた。しかし、その幅を小さくすることは、発光時の「仕切り」としての性能を低下させ、結果として、意匠性の低下を招き、その用途を制限するものであった。
【０１５６】
これに対して、以上のような第２の実施の形態によれば、導光板３０から光を取り出すための取出要素として機能する光拡散部５０を効果的に目立たなくさせて、導光板３０から光を取り出すための取出要素が感知されることによって照明装置１０のデザイン性が損なわれることを、効果的に回避することができるだけでなく、光源２０の発光体２２を点灯させて、所定の光源照明を施すことによって、第１領域Ｚ１を視認可能とし、すなわち、第１領域Ｚ１が表示する、文字、図形、や記号情報が出現することを可能とし、これにより、照明装置１０に、著しく高い意匠性を付与し、さらに、種々の設置位置に対して照明装置１０を調和させることができる。
【０１５７】
また、第２の実施の形態によれば、取出導光層４０及び主導光層７０を挟むようにして第２及び第３低屈折率層６２，６３が設けられている。そして、取出導光層４０のベース部４５及び主導光層７０内を進む光が反射する界面が、取出導光層４０のベース部４５と第２低屈折率層６２との間および主導光層７０と第３低屈折率層６３との間に形成されている。すなわち、取出導光層４０のベース部４５内および主導光層７０内を進む光が反射する界面が露出していない。このため、取出導光層４０のベース部４５内および主導光層７０内を進む光が反射することを予定された界面の損傷や異物付着を効果的に防止することができる。これにより、導光板３０内における導光のための光の反射が阻害されることを効果的に防止することができる。さらに、第２の実施の形態では、ベース部４５、主導光層７０および低屈折率層６２，６３よりも耐擦傷性に優れたカバー層６６，６７によって、導光板３０の表面が形成されている。したがって、導光板３０を進む光が反射するこ
とを予定された界面の損傷や異物付着をより効果的に防止することができる。
【０１５８】
なお、上述した第２の実施の形態に対して様々な変更を加えることが可能である。以下、図面を適宜参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【０１５９】
上述した第２の実施の形態において、ベース部４５の第２主面４６ｂに溝４９が形成され、取出導光層４０の第２主面４１ｂ上に光拡散部５０が設けられている例を示したが、これに限られない。図７に示すように、ベース部４５の第１主面４６ａに溝４９が形成され、取出導光層４０の第１主面４１ａ上に光拡散部５０が配置されるようにしてもよい。また、ベース部４５の第１主面４６ａ及び第２主面４６ｂのそれぞれに溝４９が形成され、取出導光層４０の第１主面４１ａ上及び第２主面４１ｂ上の両方に光拡散部５０が配置されるようにしてもよい。
【０１６０】
また、上述した第２の実施の形態において、導光板３０が、第２低屈折率層６２、第１カバー層６６、第３低屈折率層６３及び第２カバー層６７を有する例を示した。このような例においては、導光板３０からの光の取出しを促進するため、第２低屈折率層６２及び第１カバー層６６の少なくとも一方が、拡散成分を含有していることが好ましい。また、導光板３０からの光の取出しを促進するため、第３低屈折率層６３及び第２カバー層６７の少なくとも一方が、拡散成分を含有していることが好ましい。その一方で、第２低屈折率層６２、第１カバー層６６、第３低屈折率層６３及び第２カバー層６７は、必須ではなく、一以上を導光板３０から省くことができる。
【０１６１】
さらに、上述した第２の実施の形態において、導光板３０の第２主面３１ｂが筐体１１によって覆われ、導光板３０の第１主面３１ａのみが発光する例を示したが、これに限られない。図８に示すように、導光板３０の第１主面３１ａ及び第２主面３１ｂの両方が発光するようにしてもよい。すなわち、照明装置１０が、対向する一対の発光面を有するようにしてもよい。
【０１６２】
さらに、上述した第２の実施の形態において、導光板３０の第１主面３１ａが照明装置１０の発光面をなす例を示したが、これに限られない。導光板３０の第１主面３１ａに対向する位置に、導光板３０からの出射光の進行方向を偏向するための偏向手段が設けられ、この偏向手段によって照明装置１０の発光面１０ａが形成されるようにしてもよい。偏向手段としては、出光側にプリズム面又はレンズ面を形成された集光シートが例示される。
【０１６３】
さらに、上述した第２の実施の形態において、取出導光層４０及び取出要素５３の一例を示したが、上述した例に限定されない。例えば、取出要素５３としては、従来の導光板に用いられている種々の取出要素を用いることができる。例えば、取出導光層４０が、シート状の主部と、主部中に分散された拡散成分と、を有し、且つ、取出要素５３より、その機能を低下させた拡散成分が、取出導光層４０内のうちの第１領域Ｚ１及び第２領域Ｚ２の両領域に対向する領域内に設けられるようにしてもよい。このような例においても、発光する領域と発光しない領域とを含む導光板３０において取出要素５３を目立たなくさせることができる。
【０１６４】
取出導光層４０及び取出要素５３のさらに他の例が、図９に示されている。図９に示された例では、上述した第２の実施の形態と同様に、取出導光層４０は、第１方向ｄ１に配列された複数の取出要素５３を有している。取出要素５３は、第１領域Ｚ１の領域に対応する領域内にのみ設けられている。好ましくは、取出要素５３は、主導光層７０と同一の屈折率を有している。この結果、導光板３０の主導光層７０内を進む光は、主導光層７０と取出要素５３との界面で反射することなく、主導光層７０から取出要素５３へと入射することができる。その一方で、主導光層７０の第１主面７１ａは、取出要素５３が設けられていない位置で空気と界面を形成しており、空気との界面に入射する光は全反射して引き続き主導光層７０内を進む。
【０１６５】
図９に示された例において、取出要素５３は、主導光層７０の板面に対して傾斜した一対の側面を有している。とりわけ図９に示された例では、取出要素５３の断面形状は、上底が主導光層７０の側を向くようにして配置された等脚台形形状となっている。この取出要素５３は、第２方向ｄ２に柱状に延びるようになっていてもよい。主導光層７０の第１主面７１ａを介し取出要素５３に入射した光Ｌ１１は、取出要素５３の側面５４で反射し、進行方向を変化させ導光板３０から出射するようになる。このような変形例によっても、導光板３０において取出要素５３を目立たなくさせることができる。
【０１６６】
図９に示された例では、取出要素５３によって形成される取出導光層４０の主導光層７０とは反対側に第１カバー層６６が設けられている。そして、この第１カバー層６６が、照明装置１０の最表面１０ａを形成している。また、図９に示された例では、主導光層７０の反対側面７１ｄに対面する位置に第２の光源が設けられ、主導光層７０の反対側面７１ｄが第２の入光面として機能するようにしてもよい。
【０１６７】
なお、以上において上述した第２の実施の形態に対するいくつかの変形例を説明してきたが、当然に、複数の変形例を適宜組み合わせて適用することも可能である。
【符号の説明】
【０１６８】
１０   照明装置
１０ａ 最表面
１１   筐体
２０   光源
２２   発光体
３０   導光板
３１ａ 第１主面
３１ｂ 第２主面
３１ｃ 入光面
３１ｄ 反対面
４０   取出導光層
４１ａ 第１主面
４１ｂ 第２主面
４５   ベース部
４６ａ 第１主面
４６ｂ 第２主面
４６ｃ 入光側面
４６ｄ 反対側面
４９   溝
５０   光拡散部
５３   取出要素
５４   側面
６１   第１低屈折率層
６２   第２低屈折率層
６３   第３低屈折率層
６６   第１カバー層
６７   第２カバー層
７０   主導光層
７１ａ 第１主面
７１ｂ 第２主面
７１ｃ 入光側面
７１ｄ 反対側面
【図１】
2017183116.tif 000003
【図２】
2017183116.tif 000004
【図３】
2017183116.tif 000005
【図４】
2017183116.tif 000006
【図５】
2017183116.tif 000007
【図６】
2017183116.tif 000008
【図７】
2017183116.tif 000009
【図８】
2017183116.tif 000010
【図９】
2017183116.tif 000011